【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
1k高温用剥離可能接着剤組成物であって、
（a）1,3,5,7−テトラビニル−1,3,5,7−テトラメチルシクロテトラシロキサン、または
1,3,5,7−テトラビニル−1,3,5,7−テトラメチルシクロテトラシロキサンのビニル基と末端Si-H基を有するシランもしくはシロキサンの末端Si-H水素との反応のヒドロシリル化反応生成物、または
1,3,5,7−テトラビニル−1,3,5,7−テトラメチルシクロテトラシロキサンのビニル基と末端Si-H基を有するシランもしくはシロキサンの末端Si-H水素との反応のヒドロシリル化反応生成物と、
ビニルポリシロキサンのビニル基と末端Si-H基を有するシランもしくはシロキサンの末端Si-H水素との反応のヒドロシリル化反応生成物との混合物、および
（b）メルカプト架橋剤
を含む、剥離可能接着剤組成物。
【請求項２】
前記末端Si-H水素を有するシランまたはシロキサンが、下記構造
【化１】
2018506606.tif 000001
［式中、Rは、C1〜C10アルキル基、アリール基、酸素、−（O−SiMe2）n−O−、−（O−SiAr2）n−O−、−（O−SiMeAr）n−O−およびこれらの基のいずれかの組み合わせからなる群から選択され、nは少なくとも1である整数であり、Meはメチル基であり、Arはアリール基であり、R1、R2、R3、R4、R5およびR6の各々は独立してC1〜C10アルキル基またはアリール基である］
を有する、請求項１に記載の剥離可能接着剤組成物。
【請求項３】
前記末端Si-H水素を有するシランまたはシロキサンが、ポリジアルキルシロキサン、ポリアルキルアリールシロキサン、テトラアルキルジシロキサンおよびポリジアリールシロキサンからなる群から選択される、請求項２に記載の剥離可能接着剤組成物。
【請求項４】
置換ビニル基を有するポリシロキサンが、下記構造
【化２】
2018506606.tif 000002
［式中、R7、R8およびR9は独立して、C1〜C10アルキル基またはアリール基からなる群から選択され、m、nは正の整数を表す］
を有する、請求項１〜３のいずれかに記載の剥離可能接着剤組成物。
【請求項５】
前記ビニルポリシロキサンが、メチルビニルシロキサンとジメチルシロキサンとの共重合体、メチルビニルシロキサンとジエチルシロキサンとの共重合体、メチルビニルシロキサンとメチルエチルシロキサンとの共重合体、エチルビニルシロキサンとジメチルシロキサンとの共重合体、エチルビニルシロキサンとジエチルシロキサンとの共重合体、エチルビニルシロキサンとメチルエチルシロキサンとの共重合体、プロピルビニルシロキサンとジメチルシロキサンとの共重合体、プロピルビニルシロキサンとジエチルシロキサンとの共重合体、プロピルビニルシロキサンとメチルエチルシロキサンとの共重合体、フェニルビニルシロキサンとジメチルシロキサンとの共重合体、フェニルビニルシロキサンとジエチルシロキサンとの共重合体、フェニルビニルシロキサンとメチルエチルシロキサンとの共重合体からなる群から選択される、請求項４に記載の剥離可能接着剤組成物。
【請求項６】
前記メルカプト架橋剤が、硫化水素、トリカルバリルメルカプタン、イソペンチルテトラメルカプタン、m−トリエタンチオールベンゼン、p−ジエタンチオールベンゼン、イソペンチルテトラアセテートメルカプタン、および下記構造
【化３】
2018506606.tif 000003
［式中、R10、R11、R12、R13は独立して、C1〜C10アルキル基またはアリール基からなる群から選択され、xは1より大きい整数を表し、yは正の整数または0を表す］
を有するメルカプトポリシロキサンからなる群から選択される、請求項１〜５のいずれかに記載の剥離可能接着剤組成物。
【請求項７】
前記メルカプト架橋剤が、好ましくは、下記構造
【化４】
2018506606.tif 000004
［式中、mおよびnは正の整数を表す］
を有するメルカプトポリシロキサンである、請求項６に記載の剥離可能接着剤組成物。
【請求項８】
ラジカル硬化開始剤（c）をさらに含む、請求項１〜７のいずれかに記載の剥離可能接着剤組成物。
【請求項９】
前記ラジカル硬化開始剤が、α−ヒドロキシケトン、ベンゾフェノン、フェニルグリオキシル酸、アシルホスフィンオキシド、ビスアシルホスフィンオキシド、ジクメンペルオキシド、クメンヒドロペルオキシド、および2−ヒドロキシ−2−メチル−1−フェニルプロパン−1−オンからなる群から選択される、請求項８に記載の剥離可能接着剤組成物。
【請求項１０】
充填剤（d）をさらに含む、請求項１〜９のいずれかに記載の剥離可能接着剤組成物。
【請求項１１】
担体と基材との間に配置されている請求項１〜１０のいずれかに記載の1K高温用剥離可能接着剤組成物を含む、該基材と該担体との組立体。
【請求項１２】
基材と担体を接着する方法であって、
（i）基材および担体を提供するステップ；
（ii）請求項１〜１０のいずれかに記載の1k高温用剥離可能接着剤組成物を該基材上および／または該担体上に配置するステップ；
（iii）剥離可能接着剤組成物が担体と基材との間に配置されるように基材と担体とを接触させて組立体を形成するステップ；ならびに
（iv）組立体を加熱すること、または組立体を放射線に曝露すること、または組立体を放射線に曝露してその後に加熱することによって、剥離可能接着剤をラジカル硬化させるステップ
を含む、方法。
【請求項１３】
基材を担体から剥離する方法であって、
（i）基材および担体を提供するステップ；
（ii）請求項１〜１０のいずれかに記載の1k高温用剥離可能接着剤組成物を該基材上および／または該担体上に配置するステップ；
（iii）剥離可能接着剤組成物が担体と基材との間に配置されるように基材と担体とを接触させて組立体を形成するステップ；
（iv）組立体を加熱すること、または組立体を放射線に曝露すること、または組立体を放射線に曝露してその後に加熱することによって、剥離可能接着剤をラジカル硬化させるステップ；ならびに
（v）任意に組立体を周囲温度にした後および／または基材を加工する１以上のステップの後に、基材と担体とを機械的に分離する、ステップ
を含む、方法。
【手続補正２】
【補正対象書類名】明細書
【補正対象項目名】００１１
【補正方法】変更
【補正の内容】
【００１１】
本発明は、基材と担体を接着する方法であって、
（i）基材および担体を提供するステップ；
（ii）本発明による1k高温用剥離可能接着剤組成物を基材上および／または担体上に配置するステップ；
（iii）剥離可能接着剤組成物が担体と基材との間に配置されるように基材と担体とを接触させて組立体を形成するステップ；ならびに
（iv）組立体を加熱すること、または組立体を放射線に曝露すること、または組立体を放射線に曝露してその後に加熱することによって、剥離可能接着剤をラジカル硬化させる、ステップ
を含む、方法を包含する。
【手続補正３】
【補正対象書類名】明細書
【補正対象項目名】００１３
【補正方法】変更
【補正の内容】
【００１３】
最後に、本発明は、基材と担体とを接着するためのものであることが好ましい接着剤としての、本発明による組成物の用途を含む。
【手続補正４】
【補正対象書類名】明細書
【補正対象項目名】００６０
【補正方法】変更
【補正の内容】
【００６０】
本発明はまた、基材と担体を接着する方法であって、
（i）基材および担体を提供するステップ；
（ii）本発明による1k高温用剥離可能接着剤組成物を基材上および／または担体上に配置するステップ；
（iii）剥離可能接着剤組成物が担体と基材との間に配置されるように基材と担体とを接触させて組立体を形成するステップ；ならびに
（iv）組立体を加熱すること、または組立体を放射線に曝露すること、または組立体を放射線に曝露してその後に加熱することによって、剥離可能接着剤をラジカル硬化させる、ステップ
を含む、方法に関する。
【手続補正５】
【補正対象書類名】明細書
【補正対象項目名】００６２
【補正方法】変更
【補正の内容】
【００６２】
基材を接着するかまたは担体から剥離する記載の方法の様々な実施形態において、組立体の加熱によって硬化させることは、100〜175℃の温度または温度範囲を1〜30分間適用することを含むであろう。UV／可視／LED放射線による硬化は、UV／可視／LEDランプによって発生させた放射線に組立体を曝露することによって行ってもよく、また、その他の放射線源を当業者の裁量の範囲内で使用してもよい。
【手続補正６】
【補正対象書類名】明細書
【補正対象項目名】００７０
【補正方法】変更
【補正の内容】
【００７０】
本発明はさらに、特に基材と担体とを互いに可逆的に接着するための剥離可能接着剤としての本明細書に記載の組成物の用途を包含する。当該用途は、上に記載してきた方法と同様のステップを含み得る。